【手続補正書】
【提出日】平成22年2月13日(2010.2.13)
【手続補正１】
【補正対象書類名】特許請求の範囲
【補正対象項目名】全文
【補正方法】変更
【補正の内容】
【特許請求の範囲】
【請求項１】
以下を含む、圧縮空気エネルギーを貯蔵および輸送する方法：
第一の場所にある少なくとも１つの動力源、および該少なくとも１つの動力源に接続される、圧縮空気エネルギーを生成するための第一の場所の圧縮機を使用すること、
圧縮空気エネルギーを貯蔵し、前記第一の位置とは離れた場所に圧縮空気エネルギーを輸送するために、前記第一の場所と接続されるかまたは他の方法で連通する、前記の少なくとも１つの動力源に結合する第一のパイプラインを提供すること；
該第一のパイプラインと接続されるかまたは他の方法で連通する、内径が前記第一のパイプラインの内径よりも小さい、より小さいパイプラインを提供すること；
エクスパンダーで第一のパイプライン内の圧縮空気エネルギーを解放して第二の場所にエネルギーを提供すること、ここで発電するために発電機が第二の場所に提供される；および
該より小さいパイプライン内の圧縮空気エネルギーを解放し、第三の場所にエネルギーを提供すること、ここで該より小さいパイプライン内の圧縮空気エネルギーは、作動させるには該第二の場所の発電機よりもより低い圧力を要求する該第三の場所の設備を駆動する。
【請求項２】
以下の少なくともひとつの追加の工程を含む請求項１記載の方法：
１）  ａ）少なくともひとつの風力タービン、ｂ）ウインドファーム、ｃ）地熱発電所、ｄ）ディーゼル発電所、ｅ）原子発電所、およびｆ）ユーティリティグリッドからなる群から選択される少なくとも１つの動力源を使用すること；
２）  前記第一のパイプライン内の圧力を６００ｐｓｉａ以上に維持し、前記より小さいパイプライン内の圧力を２００ｐｓｉａ以上に維持すること；または
３）  ａ）該第三の場所においてチルド空気を発生し、冷凍、エアコンディションおよび／または脱塩を提供すること、ｂ）該第三の場所において発電し、チルド空気を一緒に発生し、冷凍、エアコンディションおよび／または脱塩を提供すること、またはｃ）圧縮空気エネルギーを最初に電気に変換することなく、該第三の場所において少なくともひとつの空気圧により作動するツールあるいは設備を作動させることの少なくとも１つを、該第三の場所において行うこと。
【請求項３】
前記第一のパイプラインとより小さなパイプラインが、以下の少なくともひとつを満たすように配置される、請求項１または２記載の方法：
１）  前記第一のパイプラインが前記第一の場所と第二の場所の間に配置され、前記第二の場所で前記のより小さなパイプラインと結合する；
２）  前記第一のパイプラインが前記第一の場所から第二の場所へ圧縮空気エネルギーを伝えることができるように配置され、前記のより小さいパイプラインが前記第一のパイプラインの実質的に下流に配置される；
３）  前記第一のパイプラインが前記第一の場所と第二の場所の間に配置され、前記のより小さいパイプラインが前記第二の場所と第三の場所の間に配置される；  
４）  前記第一のパイプラインが前記第一の場所から第二の場所に圧縮エネルギーを伝えることができるように配置され、前記のより小さいパイプラインは前記第一のパイプラインから分岐として延びる。
【請求項４】
以下の少なくともひとつの追加の工程を含む請求項１から３のいずれか１項記載の方法：  
１）  前記第一のパイプラインの直径を少なくとも４フィートとし、前記のより小さいパイプラインの直径を少なくとも３フィートとすること；
２）  前記第一のパイプライン内において発生する圧力低下を防止するために、該第一のパイプライン内に追加の圧縮空気を発生させるために、第一のパイプラインに沿って少なくとも１つの追加の動力源を提供すること；
３）  前記第一のパイプラインまたは前記のより小さなパイプラインを、太陽に暴露される鉄道および／または砂漠表面の上に、またはそれに隣接して配置すること。
【請求項５】
以下を含む、圧縮空気エネルギーを貯蔵および輸送するシステム：  
第一の場所に配置される、動力源からのエネルギーを使用して圧縮空気エネルギーを発生する圧縮機；
圧縮空気エネルギーを貯蔵し、該第一の場所から第一の場所と離れた場所に圧縮空気エネルギーを輸送するための第一の場所に提供されるパイプライン、ここで該パイプラインは第一のパイプラインとより小さいパイプラインを備え、該第一のパイプラインは該第一の場所と接続されるかまたは他の方法で第一の場所と連通する；
該より小さいパイプラインは該第一のパイプラインと接続されるかまたは他の方法で第一のパイプライン連通し、該より小さいパイプラインの内径は該第一のパイプラインの内径はよりも小さい；
第二の場所に位置する少なくとも１つのターボエクスパンダーおよび発電機であって、該第一のパイプラインからの圧縮空気エネルギーは該ターボエクスパンダーにより解放可能であり、該第二の場所で発電する；
該より小さいパイプラインから圧縮空気エネルギーを解放することにより第三の場所で圧縮空気エネルギーを利用することのできる装置、ここで該より小さいパイプライン内の圧縮空気エネルギーは、作動させるには該第二の場所の発電機よりもより低い圧力を要求する設備を駆動するために使用される。
【請求項６】
前記の第三の場所における装置が、以下の少なくとも１つができる、請求項５記載のシステム：
１）チルド空気を発生し、冷凍、エアコンディションおよび／または脱塩を提供すること、
２）発電し、チルド空気を一緒に発生し、冷凍、エアコンディションおよび／または脱塩を提供すること、または
３）圧縮空気エネルギーを最初に電気に変換することなく、少なくともひとつの空気圧により作動するツールあるいは設備を駆動すること。
【請求項７】
前記パイプラインおよび前記のより小さいパイプラインが、以下の少なくとも１つを含む、請求項５または６記載のシステム：
１）  前記第一のパイプライン内の圧力が６００ｐｓｉａ以上に維持され、前記より小さいパイプライン内の圧力が２００ｐｓｉａ以上に維持されること；
２）  前記第一のパイプラインの直径が少なくとも４フィートであり、前記のより小さいパイプラインの直径が少なくとも３フィートであること；
３）  第一のパイプライン内において発生する圧力低下を防止するために、該第一のパイプライン内に追加の圧縮空気を発生させるために、第一のパイプラインに沿って提供される少なくとも１つの追加の動力源；
４）  前記第一のパイプラインとより小さなパイプラインが、以下の少なくともひとつを満たすように配置されること：
ａ）  前記第一のパイプラインが前記第一の場所と第二の場所の間に配置され、前記第二の場所で前記のより小さなパイプラインと結合する；
ｂ）  前記第一のパイプラインが前記第一の場所から第二の場所へ圧縮空気エネルギーを伝えることができるように配置され、前記のより小さいパイプラインが前記第一のパイプラインの実質的に下流に配置される；
ｃ）  前記第一のパイプラインが前記第一の場所と第二の場所の間に配置され、前記のより小さいパイプラインが前記第二の場所と第三の場所の間に配置される；  
ｄ）  前記第一のパイプラインが前記第一の場所から第二の場所に圧縮エネルギーを伝えることができるように配置され、前記のより小さいパイプラインは前記第一のパイプラインから分岐として延びる。
【請求項８】
前記の少なくとも１つの動力源が、１）少なくともひとつの風力タービン、２）ウインドファーム、３）地熱発電所、４）ディーゼル発電所、５）原子発電所、および６）ユーティリティグリッドからなる群から選択される、請求項５、６または７記載のシステム。
【請求項９】
以下を含む、圧縮空気エネルギーを貯蔵および輸送する方法：
第一の場所にある少なくとも１つの動力源、および該少なくとも１つの動力源に結合する圧縮空気エネルギーを生成するための圧縮機を使用すること、
圧縮空気エネルギーを貯蔵し、第一の場所から第一の場所とは離れた場所に圧縮空気エネルギーを輸送するために、前記の少なくとも１つの動力源に接続されたパイプラインを提供すること、ここで該第一のパイプラインは第一のパイプラインと、その実質的に下流に接続されるより小さいパイプラインを備え、該より小さいパイプラインの内径は該第一のパイプラインの内径はよりも小さい；
第二の場所で発電するために発電機が提供される前記の第二の場所で第一のパイプラインから圧縮空気エネルギーを解放すること；および
該より小さいパイプラインから圧縮空気エネルギーを解放し、第三の場所でエネルギーを発生すること、ここで該より小さいパイプライン内の圧縮空気エネルギーは、作動させるには該第二の場所の発電機よりもより低い圧力を要求する該第三の場所の設備を駆動するために使用される。
【請求項１０】
以下の少なくともひとつの追加の工程を含む請求項９記載の方法：
１）  ａ）少なくともひとつの風力タービン、ｂ）ウインドファーム、ｃ）地熱発電所、ｄ）ディーゼル発電所、ｅ）原子発電所、およびｆ）ユーティリティグリッドからなる群から選択される少なくとも１つの動力源を使用すること；
２）  圧縮空気エネルギーが前記第一の場所で貯蔵されたときのコストよりもエネルギーコストが高い期間に、前記第二の場所および／または第三の場所においてエネルギーを使用すること；
３）  前記第一のパイプライン内の圧力が６００ｐｓｉａ以上に維持され、前記より小さいパイプライン内の圧力が２００ｐｓｉａ以上に維持されること；
４）  前記第一のパイプラインの直径が少なくとも４フィートであり、前記のより小さいパイプラインの直径が少なくとも３フィートであること；
５）  前記第一のパイプライン内において発生する圧力低下を防止するために、該前記第一のパイプライン内に追加の圧縮空気を発生させるために、前記第一のパイプラインに沿って提供される少なくとも１つの追加の動力源を提供すること。
【請求項１１】
前記第一のパイプラインとより小さなパイプラインが、以下の少なくともひとつを満たすように配置される、請求項９または１０記載の方法：
ａ）  前記第一のパイプラインが前記第一の場所と第二の場所の間に配置され、前記第二の場所で前記のより小さなパイプラインと結合する；
ｂ）  前記第一のパイプラインが前記第一の場所から第二の場所へ圧縮空気エネルギーを伝えることができるように配置され、前記のより小さいパイプラインが前記第一のパイプラインと接続されるかまたは実質的に連通される；
ｃ）  前記第一のパイプラインが前記第一の場所と第二の場所の間に配置され、前記のより小さいパイプラインが前記第二の場所と第三の場所の間に配置される；  
ｄ）  前記第一のパイプラインが前記第一の場所から第二の場所に圧縮エネルギーを伝えることができるように配置され、前記のより小さいパイプラインは前記第一のパイプラインから分岐として延びる。